(57)【特許請求の範囲】
【請求項１】
第１光出射面を有する導光板と、
光を発する光源と、
前記導光板の前記第１光出射面の側に配置され、前記第１光出射面から出射した光が入射する第１光入射面と、当該第１光入射面から入射した光が出射する第２光出射面を有する拡散板と、
前記導光板の前記第１光出射面に対して反対側の面に沿って配設される枠形状のフレームと、
前記光源の点灯制御を行う回路部と、
を有し、
前記拡散板は、前記導光板側の周縁部から出射する光が入射する第２光入射面を有し、
前記周縁部と前記第２光入射面の間には、前記周縁部から出射した光が前記第２光入射面に入射する光量を制限する光遮蔽フレームが備えられ、
前記光源が実装される光源基板と、前記回路部が実装される接続基板を電気的に接続する接続部が、前記フレームの外周枠部の内側空間内で前記導光板側に突出するように配設されていて、
前記光遮蔽フレームは、側部と、当該側部の一方の端部から延在される上板部と、他方の端部から延在される下板部を有し、
前記光源基板は、前記光源が実装される基板側部と、前記基板側部から前記下板部に重なるように延在される回路接続部を有し、
前記上板部と前記下板部の間に、前記導光板と前記フレームを重ねて配置しつつ前記基板側部の少なくとも一部を前記上板部と前記下板部の間に配置し、さらに前記回路接続部を前記下板部に重ねた状態で前記下板部を前記フレームの外周枠部に固定して光源ユニットを構成し、
前記光源ユニットは、前記下板部、前記フレームおよび前記導光板の共通位置に設けられた貫通孔に挿入される第２のネジで、前記拡散板の前記第２光入射面側に固定され、
前記第２のネジが挿通される前記導光板および前記フレーム各々に設けられた貫通孔と、前記第２のネジのネジ軸部の間に、前記拡散板と前記導光板と前記フレームの温度変化に伴う伸縮の差を吸収できる程度の隙間が設けられている、
ことを特徴とする照明モジュール。
【請求項２】
請求項１に記載の照明モジュールにおいて、
前記導光板は、前記光源が配列されると共に、前記光源が発する光が入射される端面を有し、
前記拡散板は、前記端面の周縁部に対向する位置に設けられ、前記導光板側に突出し前記第２光入射面を備える凸条部を有し、
前記導光板と、前記光源基板および前記フレームを前記拡散板との間に収容するケース部材を有し、
前記ケース部材の外周側面は、前記拡散板の外周側面と同一面内に配置されるか、または前記拡散板の前記外周側面より内側に配置され、
前記ケース部材の周縁部の厚みは、当該周縁部の内側部分よりも薄くしている、
ことを特徴とする照明モジュール。
【請求項３】
第１光出射面を有する導光板と、
光を発する光源と、
前記導光板の前記第１光出射面の側に配置され、前記第１光出射面から出射した光が入射する第１光入射面と、当該第１光入射面から入射した光が出射する第２光出射面を有する拡散板と、
前記導光板の前記第１光出射面に対して反対側の面に沿って配設される枠形状のフレームと、
前記光源の点灯制御を行う回路部と、
を有し、
前記拡散板は、前記導光板側の周縁部から出射する光が入射する第２光入射面を有し、
前記周縁部と前記第２光入射面の間には、前記周縁部から出射した光が前記第２光入射面に入射する光量を制限する光遮蔽フレームが備えられ、
前記光源が実装される光源基板と、前記回路部が実装される接続基板を電気的に接続する接続部が、前記フレームの外周枠部の内側空間内で前記導光板側に突出するように配設されていて、
前記光遮蔽フレームは、側部と、当該側部の一方の端部から延在される上板部と、他方の端部から延在される下板部を有し、
前記光源基板は、前記光源が実装される基板側部と、前記基板側部から前記下板部に重なるように延在される回路接続部を有し、
前記上板部と前記下板部の間に、前記導光板と前記フレームを重ねて配置しつつ前記基板側部の少なくとも一部を前記上板部と前記下板部の間に配置すると共に、前記回路接続部と前記下板部の共通位置に設けられた貫通孔に挿入される第１のネジで、前記フレームの外周枠部に固定して光源ユニットを構成し、
前記光源ユニットは、前記下板部、前記フレームおよび前記導光板の共通位置に設けられた貫通孔に挿入される第２のネジで、前記拡散板の前記第２光入射面側に固定され、
前記導光板、前記光源基板および前記フレームを前記拡散板との間に収容するケース部材を有し、
前記ケース部材は、当該ケース部材に設けられた貫通孔に挿入される第３のネジで前記フレームの前記外周枠部に固定される、
ことを特徴とする照明モジュール。
【請求項４】
請求項３に記載の照明モジュールにおいて、
前記導光板は、前記光源が配列されると共に、前記光源が発する光が入射される端面を有し、
前記拡散板は、前記端面の周縁部に対向する位置に設けられ、前記導光板側に突出し前記第２光入射面を備える凸条部を有し、
前記ケース部材の外周側面は、前記拡散板の外周側面と同一面内に配置されるか、または前記拡散板の前記外周側面より内側に配置され、
前記ケース部材の周縁部の厚みは、当該周縁部の内側部分よりも薄くしている、
ことを特徴とする照明モジュール。
【請求項５】
請求項３に記載の照明モジュールにおいて、
前記第１のネジ、前記第２のネジおよび前記第３のネジは、前記光源が出射した光が前記第２光出射面から出射するまでの光の経路を妨げない位置に配置されている、
ことを特徴とする照明モジュール。
【請求項６】
請求項４に記載の照明モジュールにおいて、
前記第１のネジ、前記第２のネジおよび前記第３のネジは、前記光源が出射した光が前記第２光出射面から出射するまでの光の経路を妨げない位置に配置されている、
ことを特徴とする照明モジュール。
【請求項７】
請求項４または６に記載の照明モジュールにおいて、
前記第２のネジが挿通される前記導光板および前記フレーム各々に設けられた貫通孔と、前記第２のネジのネジ軸部の間に、前記拡散板と前記導光板と前記フレームの温度変化に伴う伸縮の差を吸収できる程度の隙間が設けられている、
ことを特徴とする照明モジュール。
【請求項８】
請求項５に記載の照明モジュールにおいて、
前記第２のネジが挿通される前記導光板および前記フレーム各々に設けられた貫通孔と、前記第２のネジのネジ軸部の間に、前記拡散板と前記導光板と前記フレームの温度変化に伴う伸縮の差を吸収できる程度の隙間が設けられている、
ことを特徴とする照明モジュール。
【請求項９】
請求項２，４，６または７に記載の照明モジュールにおいて、
前記第２のネジのネジ軸部の先端部は、前記凸条部内で前記第１光入射面より前記第２光入射面側に配置される、
ことを特徴とする照明モジュール。
【請求項１０】
請求項２，４，６，７または９に記載の照明モジュールにおいて、
前記導光板には、前記端面から前記光源方向に突設された複数の凸部が設けられ、
隣り合う前記凸部の間に前記光源を配設すると共に、前記凸部の先端面が前記基板側部の前記光源が実装される側の面に当接されている、
ことを特徴とする照明モジュール。
【請求項１１】
請求項２から１０のいずれか１項に記載の照明モジュールにおいて、
前記ケース部材と前記フレームは、熱伝導率が高い金属板で成形され、
前記回路部の前記フレームに対向する側の面が、前記フレームに当接されている、
ことを特徴とする照明モジュール。
【発明の詳細な説明】
【技術分野】
【０００１】
本発明は、照明モジュールに関する。
【背景技術】
【０００２】
光源として、ＬＥＤ（Light Emitting Diode）光源を用いた面発光装置である照明モジュールでは、照明モジュールの光出射面の明るさを均斉化するための構造を採用している。特許文献１には、導光体の端面に沿ってＬＥＤ光源を配置し、導光板から出射した光を拡散板に入射し、拡散板の光出射面から光を出射する照明モジュールが開示されている。この照明モジュールでは、拡散板の周縁部に、導光板の光出射面に対向する凸条部を設け、この凸条部に入射する光を制御することで、拡散板の光出射面の周縁部が暗くならないようにしている。
【先行技術文献】
【特許文献】
【０００３】
【特許文献１】特開２０１４−１５００４９号公報
【発明の概要】
【発明が解決しようとする課題】
【０００４】
特許文献１に記載されている照明モジュールでは、導光板、反射板およびＬＥＤ光源を実装したＬＥＤ基板を、拡散板と保持ケースの間に収容している。そして、ＬＥＤ光源の駆動制御を行う回路部は、ＬＥＤ光源の実装面に対してＬＥＤ基板の反対側の面に実装され、保持ケース側に突設させている。このことから、照明モジュールは、回路部の厚さ分厚くなってしまう。また、特許文献１の照明モジュールは、拡散板と保持ケースを積み重ねることで全体が一様な厚みなっているため、光を出射する面を斜め上方側から見たときに厚く感じさせてしまう。
【０００５】
本発明は、かかる課題に鑑みてなされたものであり、その目的とするところは、照明モジュールの光出射面における明るさの均斉化を図りつつ、照明モジュールの薄型化を実現しようとするものである。
【課題を解決するための手段】
【０００６】
上記課題を解決するために、本発明の照明モジュールは、第１光出射面を有する導光板と、光を発する光源と、導光板の第１光出射面の側に配置され、第１光出射面から出射した光が入射する第１光入射面と、第１光入射面から入射した光が出射する第２光出射面を有する拡散板と、導光板の第１光出射面に対して反対側の面に沿って配設される枠形状のフレームと、光源の点灯制御を行う回路部と、を有し、拡散板は、導光板側の周縁部から出射する光が入射する第２光入射面を有し、周縁部と第２光入射面の間には、周縁部から出射した光が第２光入射面に入射する光量を制限する光遮蔽フレームが備えられ、光源が実装される光源基板と、回路部が実装される接続基板を電気的に接続する接続部が、フレームの外周枠部の内側空間内で導光板側に突出するように配設されていて、光遮蔽フレームは、側部と、当該側部の一方の端部から延在される上板部と、他方の端部から延在される下板部を有し、光源基板は、光源が実装される基板側部と、基板側部から下板部に重なるように延在される回路接続部を有し、上板部と下板部の間に、導光板とフレームを重ねて配置しつつ基板側部の少なくとも一部を上板部と下板部の間に配置し、さらに回路接続部を下板部に重ねた状態で下板部をフレームの外周枠部に固定して光源ユニットを構成し、光源ユニットは、下板部、フレームおよび導光板の共通位置に設けられた貫通孔に挿入される第２のネジで、拡散板の第２光入射面側に固定され、第２のネジが挿通される導光板およびフレーム各々に設けられた貫通孔と、第２のネジのネジ軸部の間に、拡散板と導光板とフレームの温度変化に伴う伸縮の差を吸収できる程度の隙間が設けられている、こととする。
【０００７】
また、上記発明に加えて、導光板は、光源が配列されると共に、光源が発する光が入射される端面を有し、拡散板は、端面の周縁部に対向する位置に設けられ、導光板側に突出し第２光入射面を備える凸条部を有し、導光板、光源基板およびフレームを拡散板との間に収容するケース部材を有し、ケース部材の外周側面は、拡散板の外周側面と同一面内に配置されるか、または拡散板の外周側面より内側に配置され、ケース部材の周縁部の厚みは、当該周縁部の内側部分よりも薄くしている、ことが好ましい。
【０００８】
また、上記課題を解決するために、別の本発明の照明モジュールは、第１光出射面を有する導光板と、光を発する光源と、導光板の第１光出射面の側に配置され、第１光出射面から出射した光が入射する第１光入射面と、第１光入射面から入射した光が出射する第２光出射面を有する拡散板と、導光板の第１光出射面に対して反対側の面に沿って配設される枠形状のフレームと、光源の点灯制御を行う回路部と、を有し、拡散板は、導光板側の周縁部から出射する光が入射する第２光入射面を有し、周縁部と第２光入射面の間には、周縁部から出射した光が第２光入射面に入射する光量を制限する光遮蔽フレームが備えられ、光源が実装される光源基板と、回路部が実装される接続基板を電気的に接続する接続部が、フレームの外周枠部の内側空間内で導光板側に突出するように配設されていて、光遮蔽フレームは、側部と、当該側部の一方の端部から延在される上板部と、他方の端部から延在される下板部を有し、光源基板は、光源が実装される基板側部と、基板側部から下板部に重なるように延在される回路接続部を有し、上板部と下板部の間に、導光板とフレームを重ねて配置しつつ基板側部の少なくとも一部を上板部と下板部の間に配置すると共に、回路接続部と下板部の共通位置に設けられた貫通孔に挿入される第１のネジで、フレームの外周枠部に固定して光源ユニットを構成し、光源ユニットは、下板部、フレームおよび導光板の共通位置に設けられた貫通孔に挿入される第２のネジで、拡散板の第２光入射面側に固定され、導光板、光源基板およびフレームを拡散板との間に収容するケース部材を有し、該ケース部材は、当該ケース部材に設けられた貫通孔に挿入される第３のネジでフレームの外周枠部に固定される、こととする。
【０００９】
また、上記発明に加えて、導光板は、光源が配列されると共に、光源が発する光が入射される端面を有し、拡散板は、端面の周縁部に対向する位置に設けられ、導光板側に突出し第２光入射面を備える凸条部を有し、ケース部材の外周側面は、拡散板の外周側面と同一面内に配置されるか、または拡散板の外周側面より内側に配置され、ケース部材の周縁部の厚みは、当該周縁部の内側部分よりも薄くしている、ことが好ましい。
また、上記発明に加えて、第１のネジ、第２のネジおよび第３のネジは、光源が出射した光が第２光出射面から出射するまでの光の経路を妨げない位置に配置されている、ことが好ましい。
【００１０】
また、上記発明に加えて、第２のネジのネジ軸部の間に、拡散板と導光板とフレームの温度変化に伴う伸縮の差を吸収できる程度の隙間が設けられている、ことが好ましい。
【００１１】
また、上記発明に加えて、第２のネジのネジ軸部の先端部は、凸条部内で第１光入射面より第２光入射面側に配置される、ことが好ましい。
【００１２】
また、上記発明に加えて、導光板には、端面から光源方向に突設された複数の凸部が設けられ、隣り合う凸部の間に光源を配設すると共に、凸部の先端面が基板側部の光源が実装される側の面に当接されている、ことが好ましい。
【００１３】
また、上記発明に加えて、ケース部材とフレームは、熱伝導率が高い金属板で成形され、回路部のフレームに対向する側の面が、フレームに当接されている、ことが好ましい。
【図面の簡単な説明】
【００１４】
【図１】本発明に係る照明モジュールを示す外観図である。
【図２】図１に示す照明モジュールを表面側から見た平面図で、各光源部の配置の概略を示す説明図である。
【図３】図１に示す照明モジュールを裏面側から見た斜視図である。
【図４】図３の切断線Ａ−Ａで切断した切断面を示す断面図である。
【図５】ＬＥＤ光源から出射した光が拡散板の第２光出射面から出射するまでの光の経路を示す説明図である。
【図６】図３の切断線Ｂ−Ｂで切断した切断面を示す断面図である。
【図７】図３の切断線Ｃ−Ｃで切断した切断面を示す断面図である。
【図８】図３の切断線Ｄ−Ｄで切断した切断面を示す断面図で、ＬＥＤ基板の回路接続部を保持ケースとフレームの間に介在する位置の固定構造を示す図である。
【図９】図８に対して、保持ケースとフレームの間にＬＥＤ基板が介在しない位置の固定構造を示す断面図である。
【図１０】ＬＥＤ基板と接続基板の接続構造の一部を示す図である。
【発明を実施するための形態】
【００１５】
以下、本発明の実施の形態に係る照明モジュールについて、図面を参照しながら説明する。
【００１６】
図１は、本発明に係る照明モジュール１を示す外観図であり、上段に記載の（Ａ）は斜視図、下段に記載の（Ｂ）は側面図である。なお、以下の説明において、矢視Ｘ１方向を右側（右辺側）、矢視Ｘ２方向を左側（左辺側）、矢視Ｙ１方向を前方（前辺側）、矢視Ｙ２方向を後方（後辺側）、矢視Ｚ１方向を上方向（上面側）、矢視Ｚ２方向を下方向（下面側）とそれぞれ規定して説明する。また、矢視Ｚ１方向を表面側、矢視Ｚ２方向を裏面側と記載することがある。
【００１７】
図１（Ａ），（Ｂ）に示すように、照明モジュール１は、表面側に拡散板２が配置され、裏面側にケース部材である保持ケース３が配置されている。保持ケース３は、熱伝導率が高い金属板で形成されるが、軽量化の観点からアルミニウム製とすることが好ましい。
拡散板２と保持ケース３は、複数の固定部材によって一体化されている。拡散板２の上面は、外部に光を射出する第２光出射面４である。なお、固定部材による固定構造については、図６〜図９を参照して後述する。保持ケース３の外周側面５は、拡散板２の外周側面６と同一面内に配置されるか、拡散板２の外周側面６の内側に配置される。拡散板２と保持ケース３で挟まれた空間には、後述する導光板７、光源であるＬＥＤ光源８、フレーム９、および光遮蔽フレーム１０などが収容されている（図２、図４参照）。保持ケース３の４辺の周縁部１１の厚みは、周縁部１１の内側部分１２の厚みよりも薄く形成されている。すなわち、内側部分１２は、周縁部１１に対して凸となっている。また、内側部分１２は、周縁部１１から少しくぼんだ溝部２４から突出するように形成されている（図３参照）。なお、以下に示す照明モジュール１は、左右方向の長さが６００ｍｍ、前後方向の長さ（幅）が３００ｍｍの長方形で、周縁部１１の厚みが約１０ｍｍ、内側部分の厚みが約１２ｍｍの薄い扁平な場合を例示している。
【００１８】
図２は、照明モジュール１を表面側から見た平面図で、各光源部の概略の配置を示す説明図である。図２に示すように、照明モジュール１は、左辺側の第１の光源部１５と右辺側の第２の光源部１６と、前辺側の第３の光源部１７と、後辺側の第４の光源部１８を有している。第１の光源部１５と第２の光源部１６、第３の光源部１７と第４の光源部１８は、互いに対向するように配置されている。第１の光源部１５から第４の光源部１８の４つの光源部のそれぞれには、複数のＬＥＤ光源８が導光板７の各辺に設けられた端面１９に沿って配列されている。また、ＬＥＤ光源８および端面１９を覆うように光遮蔽フレーム１０が配置されている。第１の光源部１５から第４の光源部の４つの光源部の各々に配置されるＬＥＤ光源８の数やピッチは、図２では分かりやすく図示するために簡略化して表しているが、要求される明るさや第２光出射面４の広さによって適宜選択可能である。なお、図２に示すように、光遮蔽フレーム１０は、左辺側と右辺側は同じもので対向する関係にあり、前辺側と後辺側は同じもので対向する関係にあり、左右のものと前後のものは、長さのみが異なるものとなっているため、以下の説明では、左辺側を例示して説明する。
【００１９】
図２に示すように、導光板７には、各４辺の端面１９からＬＥＤ光源８に向かう方向に突出される凸部２０が間隔を開けて設けられ、隣り合う凸部２０の間にＬＥＤ光源８が配設されている（図４、図６も参照）。図２に示す凸部２０の位置と、隣り合う凸部２０の間に配置されるＬＥＤ光源８の数や位置は、分かりやすくするために簡略化して表しているが、任意に設定可能である。
【００２０】
図３は、照明モジュール１を裏面側から見た斜視図である。保持ケース３には、４つの辺に連続する周縁部１１と、周縁部１１の内側において周縁部１１よりも凸となる内側部分１２と、周縁部１１と内側部分１２の間に内側部分１２を囲む溝部２４が設けられている。周縁部１１には、固定部材として第１のネジであるネジ２１、第２のネジであるネジ２２が配置されている。また、溝部２４には、固定部材として第３のネジであるネジ２３が配置されている。ネジ２１による固定構造は図６を参照し、ネジ２２による固定構造は図７を参照し、ネジ２３による固定構造は図８および図９を参照して後述する。なお、対向する左辺側と右辺側の各ネジの配置は対となるように配置され、前辺側と後辺側の各ネジの配置も対となるように配置されている。ネジ２１、ネジ２２およびネジ２３各々の数と配置距離（ピッチ）は、照明モジュール１の平面サイズによって適宜設定される。
【００２１】
図４は、図３の切断線Ａ−Ａで切断した切断面を示す断面図である。前述したように、照明モジュール１は、左辺側の第１の光源部１５と右辺側の第２の光源部１６と、前辺側の第３の光源部１７と後辺側の第４の光源部１８を備えている。第１の光源部１５から第４の光源部１８の各光源部のそれぞれは、構成要素の数やサイズが異なるものの、構成要素の一つひとつは同様に説明可能であるため、以下の説明では、左辺側の第１の光源部１５を代表例として説明する。
【００２２】
図４に示すように、照明モジュール１は、導光板７と、導光板７の左辺側の端面１９に沿って配列された複数のＬＥＤ光源８と、ＬＥＤ光源８が出射した光が直接拡散板２に入射されないように、また、外部に漏れないように遮蔽する断面Ｕ字形状の光遮蔽フレーム１０と、導光板７の表面側に沿うように配置される拡散板２などを備えている。なお、第１光源部１５とは、照明モジュール１の左辺側において、端面１９と、複数のＬＥＤ光源８と、光遮蔽フレーム１０と、拡散板２の左辺側に形成された凸条部２６と、凸条部２６に対向する部分である導光板７の周縁部２７などが配置された部分を言う。なお、端面１９は、図２に示したように、隣り合う凸部２０の間に形成される導光板７の側面（凸部２０に対する底面に相当する）である。
【００２３】
なお、図４では、光源としてＬＥＤ光源８を用いた場合を例示しているが、光源としては、ＣＣＦＬ（Cold Cathode Fluorescent Lamp：冷陰極蛍光管）、電球（たとえば白熱電球）や蛍光灯などを用いることが可能であって、光源の種類は限定されない。しかし、ＬＥＤ光源は、他の光源と比べ、消費電力が小さい、発熱量が小さい、小型化しやすい、並びにコストなどで優れている。したがって、以下の各図の説明では、光源としてＬＥＤ光源８を用いた場合を説明する。
【００２４】
導光板７の裏面２８側（拡散板２に対して反対側の面）には、反射板２９が配置されている。反射板２９は、薄い反射シートでもよく、導光板７の裏面２８に貼着してもよい。また、反射板に替えて導光板７の裏面２８に反射コートを設けてもよく、また、省略することも可能である。反射板２９の平面形状は、導光板７の平面外形形状とほぼ同じであるが、ＬＥＤ光源８の下方の少なくとも一部を覆うように配置される。反射板２９は、導光板７の裏面２８に密接され、導光板７内を進行する光を拡散板２の方向に反射させる機能を有する。反射板２９の下方側には、フレーム９が配設されている。
【００２５】
フレーム９は、熱伝導率が高い金属製の板材で形成されるが、軽量化の観点からアルミニウム製とすることが好ましい。フレーム９は、図２に示すように、平面形状が長方形の枠形状をしており、外周枠部３０の内側は表裏を貫通する開口部３１となっている。外周枠部３０の４辺は、ほぼ同じ幅である。したがって、開口部３１の平面形状は長方形である。フレーム９は、後述するＬＥＤ基板３５および光遮蔽フレーム１０を一体化する機能を有する（図６参照）。なお、図示は省略するが、フレーム９は、開口部３１の対角を連結する梁を形成し、補強するようにしてもよい。
【００２６】
導光板７は、光透過率が高いアクリル系樹脂で成形され、ＬＥＤ光源８から出射される光が入射される端面１９と、拡散板２と対向する第１光出射面３２、および第１光出射面３２の反対側の面となる裏面２８を備えている。端面１９は、ＬＥＤ光源８から出射される光の入射面であり、第１光出射面３２は、導光板７から拡散板２に対して光を出射する光出射面である。なお、前述した凸部２０のＬＥＤ光源８に対向する側面も端面１９と同様に、ＬＥＤ光源８から出射される光が入射される光入射面といえる。裏面２８は、反射板２９に密接されると共に、導光板７の内部を進行する光の反射面として機能する。ＬＥＤ光源８は、光源基板であるＬＥＤ基板３５に実装され、端面１９に沿って配置されている。ＬＥＤ光源８は、導光板７の厚み範囲に配置されるが、導光板７の厚み方向のほぼ中央に配置すればなおよい。中央に配置することで、中央に配置しない場合に比べて第１光出射面３２から出射する光量が多くなる。
【００２７】
なお、ＬＥＤ光源８から導光板７の端面１９に入射される光の強さは、ＬＥＤ光源８と端面１９の距離に左右される。すなわち、ＬＥＤ光源８が端面１９に近づけば入射される光の強さが増し、遠ざかれば入射される光の強さが減る。図２に示したように、導光板７には、各４辺の端面１９からＬＥＤ光源８の方向（ＬＥＤ基板３５側に）に向かって凸部２０が設けられ、隣り合う凸部２０の間にＬＥＤ光源８を配設するようにしている。図４に示すように、凸部２０の先端面は、ＬＥＤ基板３５の基板側部３６に当接されている。つまり、ＬＥＤ光源８と端面１９との間隔は、凸部２０の先端面の端面１９からの距離で規制される。一方、ＬＥＤ基板３５のＬＥＤ光源８が実装される基板側部３６は、光遮蔽フレーム１０の側部４５で左方への移動が規制される。このようにして、ＬＥＤ光源８と端面１９の距離がほぼ一定に保持されることで、端面１９に入射される光の強さは、ほぼ一定となるように管理可能となる。
【００２８】
ＬＥＤ基板３５は、フレキシブル基板であって、図１０に示すように、ＬＥＤ光源８が実装される基板側部３６と、基板側部３６の下方側において基板側部３６に直交するように曲げられて延在される回路接続部３７を有する。回路接続部３７は、右辺方向に向かって延長され、接続基板３８を介して回路部３９に接続される（図１０参照）。回路部３９は、ＬＥＤ光源８の点灯制御を行うＩＣチップや抵抗素子などの回路素子を有している。ＬＥＤ基板３５は、回路接続部３７を光遮蔽フレーム１０に設けられた孔部４０に挿通することで、回路接続部３７を保持ケース３と光遮蔽フレーム１０の下板部４１の間に配置できるようになっている。
【００２９】
ＬＥＤ光源８を構成するＬＥＤ素子の一つ一つは、白色ＬＥＤ素子であって、回路部３９からの入力信号によって、各ＬＥＤ素子からの発光を制御する。なお、ＬＥＤ素子として、赤色ＬＥＤ素子、緑色ＬＥＤ素子および青色ＬＥＤ素子がひとつにパッケージされたタイプのＬＥＤランプを用いることも可能で、回路部３９からの入力信号によって、各色のＬＥＤ素子からの発光、混色により指定色の発光を行うことができる。なお、ＬＥＤ光源８は、ＬＥＤ基板３５に実装されて、フレーム９の外周枠部３０にネジ２１によって固定される。この固定構造は図６を、ＬＥＤ基板３５と回路部３９の接続構造は図１０を参照して後述する。
【００３０】
光遮蔽フレーム１０は、アルミニウム製の板を曲げ折りして成形されている。光遮蔽フレーム１０は、端面１９に沿いつつ、ＬＥＤ基板３５の基板側部３６の背面側に配置される側部４５と、側部４５の拡散板２側端部から側部４５に直交し右辺側に延長される上板部４６と、保持ケース３側端部から側部４５に直交し、右辺側に延長される下板部４１を有する。上板部４６は、第１光出射面３２側に延長されている。上板部４６は光遮蔽部であって、以下の説明では光遮蔽部４６と記載する。光遮蔽フレーム１０は、側部４５と下板部４１の接続部にかけて表裏を貫通する孔部４０を有する。孔部４０には、ＬＥＤ基板３５の回路接続部３７が挿通される。光遮蔽フレーム１０は、光遮蔽部４６と下板部４１の間に導光板７と反射板２９およびフレーム９を配設し、ネジ２１で一体化して光源ユニット５０を構成する（図６参照）。光遮蔽部４６は、ＬＥＤ光源８から出射される光がそのまま拡散板２に入射しないように、つまり、ＬＥＤ光源８の光が、ＬＥＤ光源８よりも図示上方向に配置される拡散板２に直接入射させない光遮蔽機能を有する。
【００３１】
拡散板２は、光散乱粒子が含まれたアクリル系樹脂で成形されており、図２に示すように平面視において長方形であって、照明モジュール１の平面形状および平面サイズを規定している。つまり、照明モジュール１を真上から見たとき、拡散板２の下方にある保持ケース３は見えないようになっている。拡散板２には、導光板７の第１光出射面３２に向かって突設された凸条部２６が形成されている。凸条部２６は、左辺側の第１光源部１５、右辺側の第２光源部１６、前辺側の第３光源部１７、および後辺側の第４光源部１８に連続するように形成されている。凸条部２６は、導光板７の周縁部２７に対向する位置に配置されている。凸条部２６の導光板７に対向する先端部平面は、導光板７の第１光出射面３２から出射された光が入射される第２光入射面５１である。つまり、導光板７の周縁部２７は、凸条部２６の第２光入射面５１と対向する部分をいう。
【００３２】
拡散板２には、ＬＥＤ光源８の配列方向に直交する平面における断面形状において、凸条部２６に囲まれた凹部空間５２が形成されている。凹部空間５２の底面（第１光射出面３２に対向する面）である第１光入射面５３は、第１光出射面３２から出射した光が入射する光入射面である。拡散板２の外周側面６は、空気に接する面であり、凸条部２６の内側側面５４は凹部空間５２に面し、空気に接する面である。したがって、凸条部２６の内側から外周側面６に臨界角を超えて入射する光は、外周側面６で全反射する。また、凸条部２６の内側から内側側面５４に臨界角を超えて入射する光は、内側側面５４で全反射する。外周側面６と内側側面５４とは互いに平行な面であり、第２光入射面５１は、外周側面６および内側側面５４に直交する面である。
【００３３】
凸条部２６の第２光入射面５１は、ＬＥＤ光源８あるいは第１光出射面３２（特に周縁部２７）から出射する光が光遮蔽部４６により遮蔽される領域である遮蔽領域Ｂと、光遮蔽部４６により遮蔽されることなく光が入射する領域である入射領域Ｃとを有する。すなわち、凸条部２６の第２光入射面５１と、導光板７の周縁部２７との間に光遮蔽部４６を配置することにより、周縁部２６から出射した光が第２光入射面５１に入射する光量を制限することができる。遮蔽領域Ｂは、ＬＥＤ光源８から出射された光が導光板７を介さずに直接拡散板２に入射しない広さ（左右方向の幅寸法）を少なくとも有する。また、遮蔽領域Ｂの広さ（左右方向の幅寸法）と入射領域Ｃの広さ（左右方向の幅寸法）は、第１光出射面３２から第２光入射面５１に入射する光が第２光出射面４から出射する際に、第２光出射面４の全体の明るさが均一となるように設定される。第１光出射面３２から第２光入射面５１に入射した光は主に、第２光出射面４の周縁部から出射することになる。第２光出射面４の周縁部の明るさが、この周縁部よりも内側の明るさに近づくように、遮蔽領域Ｂの広さおよび入射領域Ｃの広さが設定される。遮蔽領域Ｂの広さをＸ、入射領域Ｃの広さをＹとすると、Ｘ：Ｙは１：０．５〜１：５が好ましく、Ｘ：Ｙは１：１〜１：３がより好ましい。拡散板２は、凸条部２６の第２光入射面５１で光遮蔽フレーム１０の光遮蔽部４６と密接される。右辺側の光遮蔽フレーム１０、前辺側の光遮蔽フレーム１０および後辺側の光遮蔽フレーム１０も、左辺側の光遮蔽フレーム１０と同様な条件で設定される。
【００３４】
続いて、ＬＥＤ光源８から出射された光が、第２光出射面４から出射するまでの光の経路について、図５を参照しながら説明する。
【００３５】
図５は、ＬＥＤ光源８から出射した光が拡散板２の第２光出射面４から出射するまでの光の経路を示す説明図である。左辺側の第１の光源部１５側のＬＥＤ光源８から出射された光の一部は、導光板７の端面１９から導光板７内に進入し、たとえば、破線Ｌ１で示すように、導光板７の第１光出射面３２および裏面２８で全反射されながら右辺側に向かって進み、いずれは、第１光出射面３２から出射される。ＬＥＤ光源８から出射された光の他の一部には、第１光出射面３２または裏面２８で全反射されることなく、第１光出射面３２から出射されるものもある。
【００３６】
右辺側の第２の光源部１６のＬＥＤ光源８から出射された光も左辺側と同様に導光板７の右辺側の端面１９から導光板７内に進入する。導光板７内に入射された光は、左辺側に進み、導光板７の第１光出射面３２および裏面２８で全反射され、いずれは、第１光出射面３２から出射される。
【００３７】
同様に、前辺側の第３の光源部１７のＬＥＤ光源８から出射された光も、右辺側および左辺側と同様に導光板７の前辺側の端面１９から導光板７内に進入する。導光板７内に入射された光は、後辺側に進み、導光板７の第１光出射面３２および裏面２８で全反射され、いずれは、第１光出射面３２から出射される。後辺側の第４の光源部１８のＬＥＤ光源８から出射された光も、前辺側と同様に導光板７の後辺側の端面１９から導光板７内に進入する。導光板７内に入射された光は、前辺側に進み、導光板７の第１光出射面３２および裏面２８で全反射され、いずれは、第１光出射面３２から出射される。
【００３８】
導光板７の第１光出射面３２から出射された光は、拡散板２の凹部空間５２の底面である第１光入射面５３、および凸条部２６の第２光入射面５１に入射され、拡散板２内を進行して第２光出射面４から出射される。拡散板２には光散乱粒子が含有されている。そのため、拡散板２内に入射した光が拡散板２内で散乱されることで、第２光出射面４から出射する光の照度分布の均一化を図ることができる。
【００３９】
ＬＥＤ光源８から出射される光は、ＬＥＤ光源８に近い位置では明るく、遠くなるに従い暗くなる。しかしながら、照明モジュール１は、左辺側の第１の光源部１５と右辺側の第２の光源部１６、および前辺側の第３の光源部１７と後辺側の第４の光源部１８を備えており、相互に右辺側、左辺側、および後辺側、前辺側に向かって光が進行するので、光が互いに補完しあい、導光板７の第１光射出面３２の明るさが均斉化される。
【００４０】
図５に示すように、導光板７のＬＥＤ光源８に近い周縁部２７には、光遮蔽フレーム１０の光遮蔽部４６が配置されている。光遮蔽部４６により、ＬＥＤ光源８および周縁部２７から凸条部２６へ入射する光が制限される。つまり、第２光入射面５１の一部は遮蔽領域Ｂとなっていて、ＬＥＤ光源８から出射されて第２光入射面５１に向かう光の一部は遮蔽領域Ｂで、すなわち光遮蔽部４６により遮蔽される。一方、入射領域Ｃでは、第１光出射面３２から凸条部２６の第２光入射面５１に向けて出射された光の一部が入射される。
【００４１】
凸条部２６の第２光入射面５１から入射された光の一部は、破線Ｌ２で示すように、凸条部２６の内側側面５４と外周側面６の間で全反射されながら、また、光散乱粒子で散乱されながら進む。そして、拡散板２の第２光出射面４の主として凸条部２６の配置領域上方、すなわち、第２光出射面４のＬＥＤ光源８が配置される側の周縁部から出射される。凸条２６内に入射された光の一部は、内側側面５４と外周側面６とで全反射しながら、また、光散乱粒子で散乱されながら進むことで、第２光出射面４から拡散状態で出射される。凸条部２６に入射した光は主として凸条部２６の配置位置の上方から出射する。このようにして、周縁部を含めて第２光出射面４の明るさが均斉化される。なお、第２光出射面４から出射する光は、光散乱粒子で拡散されるので、出射された光の強さと色調（光の波長）は、第２光出射面５３の上方において、どの方向から見ても変わらないようになっている。
【００４２】
続いて、照明モジュール１の各部の固定構造について図６〜図９を参照して説明する。これら固定構造は、第１の光源部１５から第４の光源部１８の各光源部共に、同様な構造であるため、以下の説明では、左辺側の第１の光源部１５を例示して説明する。
【００４３】
図６は、図３の切断線Ｂ−Ｂで切断した切断面を示す断面図である。ＬＥＤ基板３５には、ＬＥＤ光源８が実装されている。そして、ＬＥＤ基板３５の回路接続部３７を光遮蔽フレーム１０に設けられた孔部４０に挿入し、光遮蔽フレーム３５の下板部４１の裏面側に沿わせ、フレーム９側から光遮蔽フレーム１０の下板部４１、ＬＥＤ基板３５の回路接続部３７の順に積み重ねる。そして、固定部材であるネジ２１を回路接続部３７と下板部４１の共通位置に設けられた貫通孔から挿入し、フレーム９の外周枠部３０に固定する。この際、ネジ２１による固定前に反射板２９と導光板７をフレーム９と光遮蔽部４６の間に配設しておく。なお、ネジ軸部５５の先端部は、フレーム９を貫通しない。
【００４４】
前述したように、ＬＥＤ光源８と端面１９に近づく方向の距離は、凸部２０の端面１９からの位置で規制される。また、ＬＥＤ基板３５のＬＥＤ光源８が実装される基板側部３６は、フレーム９の側部４５で基板側部３６の左方への移動が規制される。一方、ＬＥＤ基板３５の前後方向の位置は、光遮蔽フレーム１０に設けられた孔部４０によって規制される（図１０参照）。なお、ＬＥＤ基板３５の位置を規制する規制軸をフレーム９に設け、回路接続部３７に規制軸を挿通する孔を設けるようにしてもよい。このように、フレーム９、光遮蔽フレーム１０、ＬＥＤ光源８を含むＬＥＤ基板３５がネジ２１で一体化された構成を光源ユニット５０とする。なお、光源ユニット５０は、導光板７および反射板２９を含む。
【００４５】
ＬＥＤ基板３５と接続基板３８の電気的接続がハンダ固定の場合には、ＬＥＤ基板３５に接続基板３８を接続した状態で前述したようにネジ２１によってフレーム９に固定する。ネジ２１を締め付けた後に、保持ケース３を光源ユニット５０に取り付けるが、保持ケース３の周縁部１１には、ネジ頭部５６の逃げ孔５７が設けられている。ネジ２１の頭部５６は、保持ケース３の周縁部１１から外面側（裏面側）に突出させない。
【００４６】
図７は、図３の切断線Ｃ−Ｃで切断した切断面を示す断面図である。ここでは、光源ユニット５０を、拡散板２に固定する構造について説明する。光源ユニット５０は、図６に示したように、フレーム９、光遮蔽フレーム１０、およびＬＥＤ光源８を含むＬＥＤ基板３５が固定部材であるネジ２２で一体化された構成となっている。光源ユニット５０は、光遮蔽フレーム１０の下板部４１の貫通孔、フレーム９に設けられた貫通孔Ａおよび導光体７に設けられた貫通孔７Ａにネジ２２のネジ軸部６０を挿入し、拡散板２の凸条部２６に固定される。保持ケース３の周縁部１１には、ネジ２２のネジ頭部５８の逃げ孔５９が設けられ、ネジ頭部５８は、保持ケース３の周縁部１１から外面側（裏面側）に突出させないようにしている。
【００４７】
なお、導光板７に設けられた貫通孔７Ａおよびフレーム９に設けられた貫通孔９Ａと、ネジ２２のネジ軸部６０の間には、拡散板２と導光板７とフレーム９の温度変化による伸縮の差を吸収できる程度の隙間が設けられている。前述したように、拡散板２および導光板７は、アクリル系樹脂で成形されていて、フレーム９は、アルミニウム板で成形されている。アクリル系樹脂の熱膨張率は、アルミニウムに対して約３倍である。したがって、温度変化によって、拡散板２および導光体７と、フレーム９の伸縮量が異なり、温度変化に伴い照明モジュール１が反ってしまうことが考えられる。そこで、導光板７に設けられた貫通孔７Ａおよびフレーム９に設けられた貫通孔９Ａと、ネジ２２のネジ軸部６０の間に、この伸縮量の差を吸収できる程度の隙間を設けている。
【００４８】
また、ネジ２２のネジ軸部６０の先端部は、拡散板２の凸条部２６内で第１光入射面５３よりも第２光入射面５１側になるような長さを有している。図７では、ネジ軸部６０の先端部は、第１光入射面５３のほぼ延長線上にあるが、ネジの固定強度が得られる範囲で、第２光入射面５１側になるようなネジ軸部長さにすることが好ましい。そうすることによって、拡散板２の外周側面６と内側側面５４の間で全反射しながら第２光出射面４から出射する光の経路（図５参照）は、ネジ軸６０の先端部から拡散板２の第２光出射面４までの厚みが十分確保できるから、ネジ２２によって妨げられることはない。
【００４９】
一方、導光板７には、ネジ挿通用に複数の貫通孔７Ａが設けられている。導光板７は、ほぼ全体が光の経路となっているので、貫通孔７Ａが光の経路を妨げることも考えられる。しかし、前述したように、導光板７では、左辺側では右辺側からの光で明るさを補完し、右辺側では左辺側からの光で明るさを補完するようになっていて、前辺側および後辺側でも同様に相互に明るさを補完するようになっていて、貫通孔７Ａは光の経路を妨げない。
【００５０】
図８は、図３の切断線Ｄ−Ｄで切断した切断面を示す断面図で、ＬＥＤ基板３５の回路接続部３７を保持ケース３とフレーム９の間に介在する位置の固定構造を示す。図６および図７で説明したように、拡散板２、導光板７、反射板２９、光遮蔽フレーム１０、およびＬＥＤ基板３５（ＬＥＤ光源８付き）は、ネジ２１、ネジ２２で一体化されている。この一体化された状態で、保持ケース３は、固定部材であるネジ２３によってフレーム９の外周枠部３０に固定される。ネジ２３による固定は、保持ケース３の溝部２４内で行われる。ネジ２３のネジ頭部６１は、保持ケース３の周縁部１１から外面側（裏面側）に突出しない。また、ネジ軸部６２の先端部は、フレーム９を貫通しない。
【００５１】
図９は、保持ケース３とフレーム９の間にＬＥＤ基板３５を介在させない位置の固定構造を示す断面図である。このような位置では、保持ケース３は、溝部２４の形成位置でフレーム９の外周枠部３０に直接固定される。したがって、図９に示す固定構造では、図８に示した固定構造よりも、周縁部１１の厚みがＬＥＤ基板３５の厚み分薄くなる。なお、ネジ２３のネジ頭部６１は、保持ケース３の周縁部１１から外面側（裏面側）に突出させないようにしている。また、ネジ２３のネジ軸部６２の先端部は、フレーム９を貫通しない。
【００５２】
一つの照明モジュール１において、図８および図９で示した固定構造が混在する。ここで、ＬＥＤ基板３５は、フレキシブル基板であって、厚みが約０．１５ｍｍであり、回路接続部３７は、フレーム９の溝部２４の断面形状に倣って容易に変形可能である。一方、保持ケース３の厚みは約０．５ｍｍであり、平面積に対しては極めて薄く、しかも上記２通りの固定部の距離を厚み差に対して大きくしていることで容易に撓むことが可能となっている。したがって、ＬＥＤ基板３５を介在させて固定する位置と、ＬＥＤ基板を介在させずに固定する位置において、保持ケース３を裏面側からみても変形の差は認識できない程度の変形である。また、フレーム９は、保持ケース３に対して剛性があり変形しないので、導光板７および拡散板２における光の経路に影響を与えることはない。
【００５３】
前述したように、ネジ２１、ネジ２２およびネジ２３の各ネジ頭部は、保持ケース３の周縁部１１の外面側（裏面側）に突出しない構造としている。このようにすれば、照明モジュール１を裏面側から見たときにすっきりした外観が得られると共に、照明モジュール１を壁などに装着する際、固定部材であるネジが邪魔になることがない。
【００５４】
次に、ＬＥＤ基板３５と接続基板３８の接続構造、および厚み方向の配置構造について説明する。
【００５５】
図１０は、ＬＥＤ基板３５と接続基板３８の接続構造の一部を示す図であり、上段の（Ａ）は、照明モジュール１を裏面側から見た斜視図、（Ａ）の下段左方の（Ｂ）は、（Ａ）の切断線Ｄ−Ｄで切断した切断面を示す断面図、（Ｂ）の右方の（Ｃ）は、（Ａ）の切断線Ｅ−Ｅで切断した切断面を示す断面図である。図１０（Ａ）に示すように、ＬＥＤ基板３５は、光遮蔽フレーム１０に設けられた孔部４０に回路接続部３７が挿通され、回路接続部３７は、フレーム９の裏面に沿って接続基板３８との交差位置まで延長されている。ＬＥＤ基板３５の一方の面（裏面３５Ａとする）および他方の面（表面３５Ｂとする）には、不図示の配線層が形成されている。裏面３５Ａ側には、ＬＥＤ光源８が実装されている。裏面３５Ａ側の配線層には、ＬＥＤ光源８を実装するための配線が形成される。また、表面３５Ｂの回路接続部３７にも不図示の配線層が形成されている。表面３５Ｂ側の配線層には、接続基板３８と電気的接続を行うための配線が形成されている。裏面３５Ａ側の配線層と表面３５Ｂ側の配線層は、スルーホールなどで接続されている。
【００５６】
ＬＥＤ基板３５の回路接続部３７は、先端部が接続基板３８と重ね合わされて接続手段で電気的に接続される。接続基板３８の裏面３８Ａには、不図示の配線層が形成されている。この配線層には、ＬＥＤ基板３５（ＬＥＤ光源８）と回路部３９を接続する配線と、外部電源と回路部３９を接続する配線などが形成されている。図１０（Ｂ）に示すように、ＬＥＤ基板３５の表面３５Ｂに設けられた配線層と接続基板３８の配線層の接続は、接続手段であるハンダ６４によって電気的に接続される。なお、ハンダ接続部の保護と絶縁を兼ねて、図中、２点鎖線で示した領域に樹脂盛り部（ポッティング）６５が設けられる。なお、ハンダ接続部と樹脂盛り部を含めて接続部６６とする。接続部６６は、フレーム９の外周枠部３０の内側（開口部３１内）に突出するように配置される。つまり、接続部６６は、フレーム９と交差しない位置に配置される。
【００５７】
接続基板３８の裏面３８Ａには、回路部３９が周知の接合手段によって固定される。回路部３９は、ＬＥＤ光源８の点灯制御を行うＩＣチップや抵抗素子などの回路素子を有している。これらの回路素子は、樹脂モールドなどで１パッケージ化して接続基板３８に接合してもよく、回路素子単体で接続基板３８に接合してもよい。回路部３９が１パッケージ化されている場合には、接続基板３８に設けられた配線に対応させるように回路部３９の端子を配置し、ハンダまたは導電性接着剤などの接合手段で電気的に接続する。また、回路素子単体で接合する場合には、接合後、各回路素子を樹脂モールドなどで覆うことが好ましい。ＬＥＤ基板３５と回路部３９は、接続基板３８の裏面３８Ａに設けられた配線層によって接続される。つまり、ＬＥＤ光源８と回路部３９が電気的に接続されている。なお、接続基板３８には、不図示のリード線が接続されており、このリード線は、外部の電源部に接続され、回路部３９に電力を供給できるようになっている。
【００５８】
回路部３９は、図１０（Ｃ）に示すように、接続基板３８の裏面３８Ａに電気的に接続され、フレーム９の外周枠部３０と開口部３１を跨ぐような位置に配設されている。フレーム９が無い場合には、回路部３９は、たとえば図中３９Ａで示す位置となる。回路部３９を、フレーム９に当接させることで、回路部３９とフレーム９との交差量Ｈ分だけ接続基板３８は保持ケース３側に寄せられる。つまり、ＬＥＤ基板３５が撓められ、その弾性力と接続基板３８の重量の合計が、回路部３９とフレーム９の接触圧となる。回路部３９は、ＬＥＤ光源８を点灯することで発熱する。しかし、回路部３９と熱伝導率が高いフレーム９を当接させることにより、回路部３９の熱を、フレーム９から保持ケース３に伝達し、保持ケース３に接触している保持ケース３から逃がすようにしている。
【００５９】
ＬＥＤ基板３５には、裏面３５Ａおよび表面３５Ｂ共に、ＬＥＤ光源８との接続部分および接続基板３８との接続部分を除く領域全面に絶縁層を設けることが好ましい。また、接続基板３８の裏面３８Ａ側においても、ＬＥＤ基板３５との接続部分および回路部３９との接続部分を除く全面に絶縁層を設けることが好ましい。絶縁層を設けることで、他の部材との接触によるショートを防止できる。また、照明モジュール１の使用環境によって結露する場合が考えられるが、そのような場合においても、絶縁層を設けることで結露によるショートを防止できる。
【００６０】
図１０では、ＬＥＤ基板３５と接続基板３８との接続手段は、ハンダ６４であるが、周知のフレキシブル基板用コネクタを用いて接続することが可能である。図示は省略するが、図１０を参照しながら説明する。フレキシブル基板用コネクタは、接続基板３８の裏面３８Ａの所定位置に実装される。ＬＥＤ基板３５の先端部をフレキシブル基板用コネクタに差し込めば、ＬＥＤ基板３５と接続基板３８の電気的接続が可能となる。なお、ＬＥＤ基板３５のフレキシブル基板用コネクタへの挿入部に、補強用の基板を設けておけば、フレキシブル基板用コネクタとの接続の信頼性を高められる。フレキシブル基板用コネクタは、接続部６６と同様に、フレーム９の開口部３１内に、外周枠部３０と交差しないように配置される。
【００６１】
以上説明した照明モジュール１は、第１光出射面３２を有する導光板７と、光を発するＬＥＤ光源８を有している。また、照明モジュール１は、導光板７の第１光出射面３２の側に配置され、第１光出射面３２から出射した光が入射する第１光入射面５３と、第１光入射面５３から入射した光が出射する第２光出射面４を有する拡散板２と、導光板７の第１光出射面３２に対して反対側の面に沿って配設される反射板２９と、反射板２９の裏面側に配置される枠形状のフレーム９と、ＬＥＤ光源８の点灯制御を行う回路部３９を有している。拡散板２は、導光板の周縁部２７から出射する光が入射する第２光入射面５１を有する。また、周縁部２７と第２光入射面５１との間には、周縁部２７から出射した光が第２光入射面５１に入射する光量を制限する光遮蔽フレーム１０を備えている。そして、ＬＥＤ光源８が実装されるＬＥＤ基板３５と、回路部３９が実装される接続基板３８を電気的に接続する接続部６６を、フレーム９の外周枠部３０の内側空間内で導光板７側に突出するように配設している。
【００６２】
このような構成にすることで、ＬＥＤ光源８から導光板７に入射した光は、導光板７の第１光出射面３２から拡散板２の第１光入射面５３に入射し、拡散板２の第２光出射面４から出射される。また、導光板７の第１光出射面３２の周縁部２７から拡散板２の第２光入射面５１に入射した光は、主として、第２光出射面５３の周縁部から出射される。したがって、第２光出射面４からＬＥＤ光源８が点光源のように見えることがなく、拡散板２の第２光出射面４の全面の明るさを均斉化させることができる。拡散板２は、光散乱粒子を含有しているため、第２光出射面４から出射する光は、第２光出射面４のどの方向から見ても光の強さと色調（波長）に差がない照明モジュール１を提供できる。
【００６３】
一方、ＬＥＤ基板３５と接続基板３８との接続部６６を、フレーム９の外周枠部３０の内側空間内（開口部３１内）に突出させることで、照明モジュール１の総厚み（保持ケース３の内側部分１２と拡散板２の厚み）を薄くすることができる。
【００６４】
また、導光板７は、ＬＥＤ光源８が配列されると共に、ＬＥＤ光源８が発する光が入射される端面１９と、端面１９の周縁部２７に対向する位置に設けられ、導光板７側に突出し第２光入射面２７を備える凸条部２６を有している。また、照明モジュール１は、導光板７と、ＬＥＤ基板３５およびフレーム９などを拡散板２との間に収容する保持ケース３を有し、保持ケース３の外周側面５は、拡散板２の外周側面６と同一面内に配置するか、または拡散板２の外周側面６より内側に配置している。このように構成すれば、照明モジュール１を上方から見たときに、保持ケース３が額縁のように見えてしまうことがない。また、保持ケース３の周縁部１１の厚みを、周縁部１１の内側部分（照明モジュール１の内側部分）よりも薄くしているので、照明モジュール１を斜め上方から見ても、保持ケース３の薄い部分である外周側面６しか見えないので、薄く感じさせることができる。
【００６５】
また、光遮蔽フレーム１０は、側部４５と、側部４５の一方の端部から延在される上板部である光遮蔽部４６と、他方の端部から延在される下板部４１を有し、ＬＥＤ基板３５は、ＬＥＤ光源８が実装される基板側部３６と、基板側部３６から下板部４１に重なるように延在される回路接続部３７を有している。そして、光遮蔽部４６と下板部４１の間に、導光板７とＬＥＤ基板３５とフレーム９を重ねて配置すると共に、回路接続部３７と下板部４１の共通位置に設けられた貫通孔に挿入されるネジ２１で、フレーム９の外周枠部３０に固定して光源ユニット５０を構成している。光源ユニット５０は、下板部４１、フレーム９および導光板７の共通位置に設けられた貫通孔に挿入されるネジ２２で、拡散板２の凸条部２６に固定される。保持ケース３は、保持ケース３の周縁部１１に形成された溝部２４内の貫通孔に挿入されるネジ２３でフレーム９の外周枠部３０に固定する。
【００６６】
このように、照明モジュール１は、照明モジュール１の内側より薄い周縁部において、光源ユニット５０、拡散板２、保持ケース３の順にネジ２１，２２，２３によって、各ネジ頭部が、保持ケース３の周縁部１１の外面側よりも突出しないように固定することで、薄型化を実現することが可能となる。照明モジュール１を裏面側から見たときにすっきりした外観が得られると共に、照明モジュール１を壁などに装着する際、固定部材であるネジが邪魔になることがない。さらに、上記各部の固定手段がネジ２１，２２，２３で行うことが可能になっていることから、組立性および分解性が優れた照明モジュール１を実現できる。
【００６７】
また、固定部材であるネジ２１、ネジ２２およびネジ２３は、ＬＥＤ光源８が出射した光が第２光出射面５３から出射するまでの光の経路を妨げない位置に配置されている。このようにすることで、照明モジュール１を薄型化し、ネジ２１，２２，２３を設ける構造であっても光の経路を妨げないことから、ＬＥＤ光源８から出射される光を効率よく第２光出射面５３から出射させることができる。
【００６８】
また、照明モジュール１は、ネジ２２が挿通される導光板７およびフレーム９各々に設けられた貫通孔７Ａ，９Ａと、ネジ２２のネジ軸部６０の間に、拡散板２と導光板７とフレーム９の温度変化に伴う伸縮の差を吸収できる程度の隙間を設けている。
【００６９】
前述したように、拡散板２および導光板７は、アクリル系樹脂で成形されていて、フレーム９は、アルミニウム板で成形されている。アクリル系樹脂とアルミニウムでは熱膨張率が異なり、温度変化によって、拡散板２および導光体７と、フレーム９の伸縮量が異なり、温度変化に伴い照明モジュール１が反ってしまうことが考えられる。そこで、導光板７に設けられた貫通孔７Ａおよびフレーム９に設けられた貫通孔９Ａと、ネジ２２のネジ軸部６０の間に、この温度変化による伸縮差を吸収できる程度の隙間を設けているので、この隙間によって伸縮の差を吸収できることから、照明モジュール１が反ってしまうことを防止できるようにしている。
【００７０】
また、照明モジュール１は、ネジ２２のネジ軸部６０の先端部を、拡散板２の凸条部２６内で第１光入射面５３より第２光入射面５１側に配置している。このようにすれば、凸条部２６内において、第２光入射面５１から入射された光が、凸条部２６の内側側面５４と外周側面６の間を全反射しながら第２光出射面４に向かう経路を妨げられることなく、第２光出射面４から出射させる光量の均斉化を図ることができる。
【００７１】
また、導光板７には、端面１９からＬＥＤ光源８の方向に突設された複数の凸部２０が設けられ、隣り合う凸部２０の間にＬＥＤ光源８を配設すると共に、凸部２０の先端面が基板側部３６のＬＥＤ光源８が実装される側の面に当接させている。
【００７２】
ＬＥＤ光源８から導光板７の端面１９に入射される光の強さは、ＬＥＤ光源８と端面１９の距離に左右される。そこで、導光板７に設けられた凸部２０の先端面を、ＬＥＤ基板３５の基板側部３６に当接させる。つまり、ＬＥＤ光源８と端面１９の距離は、凸部２０の先端面の端面１９からの位置で規制される。また、ＬＥＤ基板３５のＬＥＤ光源８が実装される基板側部３６は、フレーム９の側部４５で基板側部３６の左方への移動が規制される。このようにして、ＬＥＤ光源８と導光板７の端面１９の距離がほぼ一定に保持されることで、端面１９に入射される光の強さを、ほぼ一定となるように管理することが可能となる。
【００７３】
また、保持ケース３とフレーム９は、熱伝導率が高い金属板で成形され、回路部３９のフレーム９に対向する側の面を、フレーム９に当接させている。回路部３９は、ＬＥＤ光源８を点灯することで発熱することがある。しかし、回路部３９とアルミニウム製のフレーム９を当接させることにより、回路部３９の熱がフレーム９に伝達する。フレーム９は、ネジ２３によってアルミニウム製の保持ケース３に接触しているので、回路部３９の熱はフレーム９を介して保持ケース３から逃がすことができるので、回路部３９が高温になることを防止できる。
【００７４】
なお、本発明は前述の実施の形態に限定されるものではなく、本発明の目的を達成できる範囲での変形、改良等は本発明に含まれるものである。たとえば、前述した実施の形態では、ＬＥＤ基板３５をフレキシブル基板とし、接続基板３８をリジット基板として、両者を接続する構成としているが、ＬＥＤ基板３５と接続基板３８をフレキシブル基板で一体形成してもよい。
【００７５】
また、前述の照明モジュール１では、ＬＥＤ基板３５の回路接続部３７を、光遮蔽フレーム１０に設けた孔部４０に挿通して、光遮蔽フレーム１０の下板部４１に沿って延長しているが、ＬＥＤ基板３５の回路接続部３７を孔部４０に挿通させずに、フレーム９と下板部４１の間に配置する構造としてもよい。また、拡散板２の第２光入射面５１と第１光入射面５３とが、一体に連なる平面としてもよい。
【００７６】
また、前述の照明モジュール１では、第１の固定部材であるネジ２１で、光源ユニット５０を構成し、第２の固定部材であるネジ２２で、光源ユニット５０を拡散板２に固定している。しかし、ネジ２２で、導光板７、反射板２９、フレーム９、光遮蔽フレーム１０およびＬＥＤ基板３５を重ねて拡散板２に固定する構造としてもよい。
【００７７】
また、前述の照明モジュール１では、回路部３９をフレーム９に当接させて、回路部３９の温度上昇を抑える構造としているが、反射板２９をアルミニウムなどの熱伝導率が高い材質とし、回路部３９をフレーム９の開口部３１内に配置し、回路部３９を反射板２９に当接させるようにしてもよい。また、回路部３９と反射板２９の間に、熱伝導体を介在させるようにしてもよい。
【符号の説明】
【００７８】
１…照明モジュール
２…拡散板
３…保持ケース
４…第２光出射面
５…外周側面（保持ケースの）
６…外周側面（拡散板の）
７…導光板
７Ａ…貫通孔
８…ＬＥＤ光源（光源）
９…フレーム
９Ａ…貫通孔
１０…光遮蔽フレーム
１１…周縁部（保持ケースの）
１２…内側部分（保持ケースの）
１９…端面
２０…凸部（導光板の）
２１…ネジ
２２…ネジ
２３…ネジ
２４…溝部（保持ケースの）
２６…凸条部
２７…周縁部（導光板の）
２９…反射板
３０…外周枠部（フレームの）
３２…第１光出射面
３５…ＬＥＤ基板
３８…接続基板
３９…回路部
４１…下板部
４６…光遮蔽部
５０…光源ユニット
５１…第２光入射面
５３…第１光入射面
６２…ネジ軸部
６６…接続部
【図１】
0006570297.tif 000002
【図２】
0006570297.tif 000003
【図３】
0006570297.tif 000004
【図４】
0006570297.tif 000005
【図５】
0006570297.tif 000006
【図６】
0006570297.tif 000007
【図７】
0006570297.tif 000008
【図８】
0006570297.tif 000009
【図９】
0006570297.tif 000010
【図１０】
0006570297.tif 000011